(57)【要約】【課題】原稿台上の原稿及び自動搬送される原稿の両方を連続して読み取る連続読取を行う画像処理装置において、ユーザによる読取終了の指示を要することなく、連続読取作業を終了することのできる画像処理装置を提供する。【解決手段】原稿台上の原稿を読み取った後に給紙トレイ上の原稿を読み取ると共に、給紙トレイ上の原稿を全て読み取り終えたときに、連続読取を自動的に終了する画像処理装置により、上記課題は解決される。【選択図】図７
2009111591.tif 000002
【特許請求の範囲】
【請求項１】
原稿が載置される原稿台と、
原稿を搬送する原稿搬送部と、
上記原稿台上の原稿及び上記原稿搬送部により搬送される原稿の画像情報を読み取り可能な原稿読取部と、
上記原稿読取部を制御して、上記原稿台上の原稿及び原稿搬送部により搬送される原稿の両方の画像情報を連続して読み取って画像を得る連続読取作業を実行させると共に、上記原稿搬送部が原稿の搬送を完了すると、最後に搬送された原稿の読み取りをもって、上記連続読取作業を終了させる読取制御部と、
を備える画像処理装置。
【請求項２】
１の連続読取作業で得られた一連の画像について、上記一連の画像に含まれる個々の原稿の画像情報の順序を変更する画像順序変更部をさらに備える請求項１に記載の画像処理装置。
【請求項３】
データを外部装置へ送信する送信部と、
上記送信部を制御して、１の連続読取作業で得られた一連の画像を、１の送信作業により上記外部装置へ送信させる送信制御部と、
をさらに備える請求項１又は２に記載の画像処理装置。
【請求項４】
上記送信制御部は、１の連続読取作業が終了すると、上記送信部に、上記一連の画像の送信作業を実行させるようになっている請求項３に記載の画像処理装置。
【請求項５】
画像を記録媒体上に形成する画像形成作業を行う画像形成部と、
上記画像形成部を制御して、１の連続読取作業で得られた一連の画像を、１の画像形成作業により形成させる画像形成制御部と、
をさらに備える請求項１〜４のいずれか１項に記載の画像処理装置。
【請求項６】
上記画像形成制御部は、１の連続読取作業が終了すると、上記画像形成部に、上記一連の画像の画像形成作業を実行させるようになっている請求項５に記載の画像処理装置。
【請求項７】
データを記憶する記憶部と、
１の連続読取作業で得られた一連の画像を、１の画像ファイルとして上記記憶部に記憶させる記憶制御部と、
をさらに備える請求項１〜６のいずれか１項に記載の画像処理装置。
【請求項８】
上記記憶制御部は、１の連続読取作業が終了すると、上記記憶部に上記１の画像ファイルの記憶を実行させるようになっている請求項７に記載の画像処理装置。
【発明の詳細な説明】
【技術分野】
【０００１】
本発明は、原稿から画像を読み取ることのできる画像処理装置に関する。
【背景技術】
【０００２】
従来、スキャナ、ファクシミリ装置、複写機等、原稿から画像を読み取る機能を有する画像処理装置が提案されている。画像処理装置として、特に特許文献１〜４には、連続して複数の原稿を読み取ることのできる装置が記載されている。
【０００３】
例えば特許文献１には、コピー機として機能する画像形成装置であって、DF読込機能と圧板読込機能とを有する装置が記載されている。この装置では、DF読込機能によってオートドキュメントフィーダー（ADF）により原稿を搬送しながら原稿の画像情報が読み取られるとともに、圧板読込機能によって原稿台上に載置された原稿の画像情報が読み取られる。そして、これらの画像情報が組み合わされ、全ての画像情報が画像メモリに読み込まれる。その後、ユーザによってスタートキーが押下されると、これを印刷開始指示として、印刷出力が開始されるようになっている。
【特許文献１】特開２００３‐３４８２７５号公報（２００３年１２月５日公開）
【特許文献２】特開２００１‐２８５５８８号公報（２００１年１０月１２日公開）
【特許文献３】特許第３６００５７５号（２００４年９月２４日登録）
【特許文献４】特開２００４‐４８６５９号公報（２００４年２月１２日公開）
【発明の開示】
【発明が解決しようとする課題】
【０００４】
上記従来の画像処理装置は、読み取るべき全ての原稿が読み取られた後、ユーザから“読取終了”の指示を受けなければ、読取を終了して次の動作に移ることができない。このような従来の画像処理装置では、例えば、まだ読み取るべき原稿が残っているのに、ユーザが“読取終了”の指示を誤入力してしまうなど、ユーザによる誤入力が起きる可能性が生じる。
【０００５】
本発明は、上記従来の課題に鑑み、ユーザによる読取終了の指示を待つことなく、読取動作を終了することのできる画像処理装置を提供することを目的とする。
【課題を解決するための手段】
【０００６】
上記課題を解決するために、請求項１の画像処理装置は、原稿が載置される原稿台と、原稿を搬送する原稿搬送部と、上記原稿台上の原稿及び上記原稿搬送部により搬送される原稿を読み取り可能な原稿読取部と、読取制御部と、を備えている。読取制御部は、上記原稿読取部を制御して、上記原稿台上の原稿及び原稿搬送部により搬送される原稿の両方を連続して読み取って画像を得る連続読取作業を実行させると共に、上記原稿搬送部が原稿の搬送を完了すると、最後に搬送された原稿の読み取りをもって、上記連続読取作業を終了させる。
【０００７】
この画像処理装置は、上記原稿搬送部が原稿の搬送を完了すると、読取制御部により連続読取作業を終了することができる。つまり、ユーザからの読取作業の終了の指示を待つことなく、連続読取作業を終えることができる。
【０００８】
また、請求項２に記載するように、請求項１の画像処理装置は、１の連続読取作業で得られた一連の画像について、上記一連の画像に含まれる個々の原稿の画像情報の順序を変更する画像順序変更部をさらに備えてもよい。
【０００９】
画像処理装置は、画像順序変更部を備えることで、画像の順序を、上記原稿読取部による読取順序に限らず、変更することができる。
【００１０】
また、請求項３に記載するように、請求項１又は２の画像処理装置は、データを外部装置へ送信する送信部と、上記送信部を制御して、１の連続読取作業で得られた一連の画像を、１の送信作業により上記外部装置へ送信させる送信制御部と、をさらに備えてもよい。
【００１１】
また、請求項４に記載するように、請求項３に記載の画像処理装置において、上記送信制御部は、１の連続読取作業が終了すると、上記送信部に、上記一連の画像の送信作業を実行させるようになっていてもよい。
【００１２】
送信制御部が請求項４のような構成であることで、画像処理装置は、連続読取作業が終了すると、ユーザによる送信開始の指示を待つことなく、送信作業を実行することができる。
【００１３】
また、請求項５に記載するように、請求項１〜４のいずれか１項に記載の画像処理装置は、画像を記録媒体上に形成する画像形成作業を行う画像形成部と、上記画像形成部を制御して、１の連続読取作業で得られた一連の画像を、１の画像形成作業により形成させる画像形成制御部と、をさらに備えてもよい。
【００１４】
また、請求項６に記載するように、請求項５の画像処理装置において、上記画像形成制御部は、１の連続読取作業が終了すると、上記画像形成部に、上記一連の画像の画像形成作業を実行させるようになっていてもよい。
【００１５】
画像形成制御部が請求項６のような構成であることで、画像処理装置は、連続読取作業が終了すると、ユーザによる送信開始の指示を待つことなく、画像形成作業を実行することができる。
【００１６】
請求項７に記載するように、請求項１〜６のいずれか１項の画像処理装置は、データを記憶する記憶部と、１の連続読取作業で得られた一連の画像を、１の画像ファイルとして上記記憶部に記憶させる記憶制御部と、をさらに備えてもよい。
【００１７】
請求項８に記載するように、請求項７の画像処理装置において、上記記憶制御部は、１の連続読取作業が終了すると、上記記憶部に上記１の画像ファイルの記憶を実行させるようになっていてもよい。
【００１８】
画像形成制御部が請求項８のような構成であることで、この画像処理装置は、連続読取作業が終了すると、ユーザによる送信開始の指示を待つことなく、画像形成作業を実行することができる。
【発明の効果】
【００１９】
本発明の画像処理装置は、上記読取制御部を備えることで、上記原稿搬送部が原稿の搬送を完了すると、読取制御部により連続読取作業を終了することができる。つまり、ユーザからの読取作業の終了の指示を待つことなく、連続読取作業を終えることができる。
【発明を実施するための最良の形態】
【００２０】
〔Ａ〕第１実施形態
（A-1）複合機１の概要
以下、本発明の実施の一形態である複合機１について、図面を参照して説明する。図１は、複合機１のハードウェアの要部構成を示すブロック図である。
【００２１】
図１に示すように、複合機１は、ユーザに情報を表示する表示部２１、ユーザからの入力を受け付ける入力受付部２２、原稿を読み取って画像データを取得する原稿読取装置３、画像を記録媒体である用紙上に印刷する画像形成部４、外部装置との間で通信を行う通信部５、情報を記憶する記憶装置６、ＣＰＵ（central processing unit）７１、ＲＯＭ（read only memory）７２、及びＲＡＭ（random access memory）７３等を備える。これらのハードウェア資源はバスで接続されており、互いに信号の送受が可能となっている。なお、本明細書において「画像」とは文字、図、画等を含む。
【００２２】
表示部２１としては、液晶表示装置等の表示装置を用いることができる。入力受付部２２としては、タッチセンサ２３及びハードキー群２８等が挙げられる。
【００２３】
原稿読取装置３の詳細については、図３を参照して後述する。
【００２４】
画像形成部４としては、電子写真方式及びインクジェット方式等を採用した従来公知の画像形成機構を、好適に利用可能である。
【００２５】
通信部５は、少なくとも外部装置にデータの送信を行うことができるようになっていればよい。外部装置としては、サーバ１０１、ＰＣ（Personal computer）１０２、ファクシミリ装置１０３等が挙げられる。すなわち、通信部５は、ネットワークインターフェース及びモデム等を備え、電話回線、ＩＳＤＮ回線、無線通信回線、専用線、若しくはＣＡＴＶ回線等の通信回線を介し、又はＬＡＮ、ＷＡＮ、若しくはインターネット等のネットワークを介して、外部装置との間でファイルを共有したり、ファイルの送受信を行ったり、ファクシミリの送受信を行ったりすることができる。
【００２６】
ＣＰＵ７１は、種々の演算を行ったり、プログラムを実行することによって複合機１内の各部の動作を制御したりすることができる。
【００２７】
ＲＡＭ７２は、ＣＰＵ７１の作業領域として、及び一時的にデータを記憶する記憶領域として機能する。
【００２８】
ＲＯＭ７３には、上記プログラム、及びＣＰＵ７１の処理等に用いられる種々の情報が格納される。
【００２９】
（A-2）操作盤２
複合機１は、表示部２１及び入力受付部２２を有する操作盤２を備える。図２に、操作盤２の要部構成を示す平面図を示す。操作盤２は、表示部２１とタッチセンサ２３とをタッチパネル２９として備える。また、操作盤２は、ハードキー群２８として、機能選択キー２４、テンキー２５、リセットキー２６、及びスタートキー２６等を備える。機能選択キー２４はコピー機能、送信機能、及び記憶機能にそれぞれ対応するコピーキー２４ａ、送信キー２４ｂ、ボックスキー２４ｃ等を備える。
【００３０】
（A-3）原稿読取装置３
原稿読取装置３の詳細について、図３を参照して説明する。図３は原稿読取装置３の要部構成を示す正面図である。原稿読取装置３は、本体部３１及び原稿押さえ３２を備える。
【００３１】
本体部３１は、第１ハウジング３３を備えると共に、第１ハウジング３３の上面に設けられたプラテンガラス３４及びコンタクトガラス３５、並びに、第１ハウジング３３内に設けられたキャリッジ３６、レール３７、及び第１原稿検知部４０等を備える。キャリッジ３６内には、第１イメージセンサ３８ａ、光源３９、並びに図示しないミラー及びレンズ等の光学部材が配される。
【００３２】
プラテンガラス３４は、原稿Ｍが載置される原稿台である。光源３９から出射された光は、プラテンガラス３４を通って原稿Ｍで反射し、上述の光学部材によって第１イメージセンサ３８ａに導かれる。第１イメージセンサ３８ａは、この反射光を検知することにより、原稿上の画像を読み取る。
【００３３】
キャリッジ３６は、図示しない駆動機構によりレール３７上を、プラテンガラス３４に平行に移動可能になっている。図３に、矢印にてキャリッジ３６の移動方向を示す。キャリッジ３６が移動することにより、第１イメージセンサ３８ａは、プラテンガラス３４上の原稿Ｍの全体の画像を読み取ることができる。また、キャリッジ３６はコンタクトガラス３５に対向する位置に移動することもできる。この位置において、第１イメージセンサ３８ａは、コンタクトガラス３５を介して、後述の原稿搬送部４４により搬送される原稿Ｍを読み取る。
【００３４】
第１原稿検知部４０は、プラテンガラス３４上の原稿を検知することのできるセンサであり、光学センサが好適に用いられる。第１原稿検知部４０は、原稿のサイズを検知するためのセンサと、原稿の有無を検知するセンサとを兼ねるものであってもよい。
【００３５】
原稿押さえ３２は、第２ハウジング４１を備えると共に、第２ハウジング４１の外面に設けられた給紙トレイ４２及び排紙トレイ４３、並びに、第２ハウジン４１内に配された原稿搬送部４４、押圧部４６、及び第２イメージセンサ３８ｂを備える。原稿押さえ３２はさらに、給紙トレイ４２上の原稿Ｍの有無を検知する第２原稿検知部４７を備える。
【００３６】
第２ハウジング４１は、その下面が第１ハウジング３３の上面に対向するように、開閉可能に配される。そして、第２ハウジング４１は、閉じた状態で、その下面にてプラテンガラス３４上の原稿Ｍをプラテンガラス３４に押し付けるようになっている。
【００３７】
原稿搬送部４４は、いわゆる原稿自動送り装置（ＡＤＦ，Auto Document Feeder）であり、給紙トレイ４２上の原稿Ｍから原稿を１枚ずつ引き出すピックアップローラ４５ａ、ピックアップローラ４５ａにより引き出された原稿Ｍを搬送する搬送ローラ４５ｂ、及び、搬送ローラ４５ｂにより搬送された原稿Ｍを排紙トレイ４３上に排出する排出ローラ４５ｃを、給紙トレイ４２から排紙トレイ４３に向かってこの順に備える。
【００３８】
押圧部４６は、第１イメージセンサ３８ａが原稿Ｍを読み取ることができるように、原稿搬送部４４により搬送中の原稿Ｍをコンタクトガラス４６に押し付ける。原稿Ｍの２つの面のうち、コンタクトガラス４６を介して第１イメージセンサ３８ａが読み取る面を表面、その逆を裏面と称する。
【００３９】
第２イメージセンサ３８ｂは、原稿搬送部４４にて搬送中の原稿Ｍの裏面に対向するように設けられ、裏面の画像を取得することができる。
【００４０】
第２原稿検知部４７としては、光学センサ及び接触センサ等の各種センサを用いることができる。
【００４１】
以下、プラテンガラス３４上の原稿Ｍを静止原稿、原稿搬送部４４により搬送される原稿Ｍを搬送原稿と呼んで、区別することがある。
【００４２】
（A-4）複合機１の動作
（１） 画像処理の概要
図４〜図６を参照して、複合機１における画像処理、特に、コピー、送信、及び記憶の３つの処理について説明する。図４は画像処理の流れを示すフローチャートであり、図５及び図６は表示部２１における表示画面の一例を示す平面図である。
【００４３】
ユーザが機能選択キー２４のいずれかを押下すると、表示部２１は読取モードの選択画面Ｗ１を表示する（Ｓ１）。図５に示すように、画面Ｗ１には、読取モードを連続読取モード（連続読み取り作業を行うモード）とするか否かをユーザに選択させるためのソフトキーＫ１及びＫ２が表示される。連続読取モードとは、１の読取ジョブとして、静止原稿及び搬送原稿の両方を連続して読み取るモードである。
【００４４】
画面Ｗ１で“連続読み取りを行う”に対応するキーＫ１が押下されると、ＣＰＵ７１は判定モードの選択画面Ｗ２を表示部２１に表示させる（Ｓ２でＹｅｓ→Ｓ３）。画面Ｗ２には、読み取り終了の判定モードをユーザに選択させるためのソフトキーＫ３及びＫ４が表示される。キーＫ３は、判定が複合機１により自動的に行われる自動モードに対応し、キーＫ４は、判定がユーザの操作に基づいて行われる手動モードに対応する。画面Ｗ２でキーＫ３が押下されると、ＣＰＵ７１は原稿搬送部を制御して連続自動モードによる画像読取ジョブを実行させる（Ｓ４でＹｅｓ→Ｓ５）。
【００４５】
一方、画面Ｗ１で“連続読み取りを行わない”に対応するキーＫ２が押下されると、連続読取を行わない非連続モードによる処理が（Ｓ２でＮｏ→Ｓ７）、画面Ｗ２で手動モードに対応するキーＫ４が押下されると、連続手動モードによる処理が（Ｓ４でＮｏ→Ｓ６）、それぞれ実行される。
【００４６】
ステップＳ５〜Ｓ７で、各モードによる原稿の読取が完了すると、上述したようにユーザが押下した機能選択キー２４に応じて、印刷、送付、又は記憶の処理が実行される（Ｓ８）。
【００４７】
（２） 各モードによる画像処理
（i） 連続自動モード
図７〜図１０を参照して、連続自動モードについて説明する。連続自動モードは、連続モードにより原稿の読取を行うと共に、自動的に読取作業を完了するモードである。図７は連続自動モードにおける処理の流れを示すフローチャートであり、図８〜図１０は表示部２１における表示画面の一例を示す平面図である。
【００４８】
連続自動モードにおいては、ＣＰＵ７１の処理の下、表示部２１が並べ替え受付画面Ｗ３を表示する（Ｓ１１）。並べ替え受付画面Ｗ３は、原稿の読取終了後に、画像を並べ替えるかどうかをユーザに選択させる画面である。並べ替え受付画面Ｗ３は、図８に示すように、画像を“並べ替える”に対応するキーＫ５と、画像を並べ替えずに“そのままとする”に対応するキーＫ６とを備える。
【００４９】
キーＫ５が押下されると、複合機１は、並べ替えをどのように行うか、具体的な方法をユーザから受け付ける（Ｓ１２でＹｅｓ→Ｓ１３）。具体的には、表示部２１が、挿入頁指定画面Ｗ４を表示する。
【００５０】
図９に示すように、挿入頁指定画面Ｗ４は、搬送原稿の何頁目の画像の後に画像を挿入するか（挿入位置）の指示の入力を受け付ける。そのために、挿入頁指定画面Ｗ４は、挿入位置入力欄Ｆ１と、挿入位置追加キーＫ７と、挿入位置削除キーＫ８と、を備える。
【００５１】
挿入位置入力欄Ｆ１は、挿入位置の入力を受け付ける。本形態では特に、一連の搬送原稿中における読み取り順序が挿入位置入力欄Ｆ１に入力された数字と一致する原稿の後に、静止原稿が挿入される。挿入位置入力欄Ｆ１には、テンキー２５のうち、押下されたキーに応じた数字を入力可能である。また、挿入位置入力欄Ｆ１への入力内容は、“第１頁”または“第２頁”といった絶対的な位置ではなく、“最後の頁”等、搬送原稿中での相対的な位置であってもよい。具体的には、挿入位置入力欄Ｆ１には、０以上の数値が入力可能であって、“０”が入力されると、画像データでは先頭の頁が静止原稿の画像とされるようになっていてもよい。“最後の頁”等の相対的な位置を表す入力文字としては、例えば記号“＊”及び“♯”等が用いられてもよい。記号“＊”が“最後の頁”を表すとする場合、挿入位置入力欄Ｆ１に入力されると、画像データにおいては末尾の頁が静止原稿の画像とされる。
【００５２】
図９には、２つの挿入位置入力欄Ｆ１を示すが、挿入位置の数に応じて、挿入位置入力欄Ｆ１の数は適宜変更可能である。挿入位置追加キーＫ７が押下されると、ＣＰＵ７１は、挿入位置入力欄Ｆ１の数を増加させる。挿入位置削除キーＫ８が押下されると、ＣＰＵ７１は挿入位置入力欄Ｆ１の数を減少させる。
【００５３】
また、挿入頁指定画面Ｗ４は、こうして入力された挿入位置に、静止原稿の何頁目の画像を挿入するかの指示の入力も受け付ける。そのために、挿入頁指定画面Ｗ４は、挿入原稿入力欄（Ｆ２、Ｆ３）と、挿入原稿追加キーＫ９と、挿入原稿削除キーＫ１０と、を備える。
【００５４】
挿入頁入力欄である先頭頁欄Ｆ２及び末尾頁欄Ｆ３は、数字の入力を受け付ける。先頭頁欄Ｆ２及び末尾頁欄Ｆ３は一対として表示される。先頭頁欄Ｆ１及びＦ２は、挿入位置入力欄Ｆ１と同様に、数字及び記号等の、頁を表す文字を受け付けることができる。なお、先頭頁欄Ｆ２及び末尾頁欄Ｆ３に入力される数値は、１以上となる。
【００５５】
挿入頁指定画面Ｗ４は、先頭頁欄Ｆ２と末尾頁欄Ｆ３とを、それぞれ複数表示可能である。静止原稿の画像を全て同一の挿入位置に挿入する場合は、先頭頁欄Ｆ２及び末尾頁欄Ｆ３が一対のみ表示されれば足りる。また、先頭頁欄Ｆ２及び末尾頁欄Ｆ３は複数対表示されることで、複数の静止原稿のうち一部の原稿の画像を１の挿入位置に、他の原稿の画像を他の挿入位置に、分けて挿入したい、というユーザの希望に応えることができる。先頭頁欄Ｆ２及び末尾頁欄Ｆ３の数は適宜変更可能である。挿入原稿追加キーＫ９が押下されると、ＣＰＵ７１は、先頭頁欄Ｆ２及び末尾頁欄Ｆ３の数を増加させ、挿入原稿削除キーＫ１０が押下されると、ＣＰＵ７１は先頭頁欄Ｆ２及び末尾頁欄Ｆ３の数を減少させる。
【００５６】
挿入頁指定画面Ｗ４は、さらに決定キー１１を備えている。挿入頁指定画面Ｗ４に挿入原稿と挿入位置とが入力された状態で、決定キー１１が押下されると、入力内容が確定され、挿入位置とそこに挿入される原稿とが決定する。
【００５７】
なお、本形態では、複数の静止原稿の画像を分けて、複数の挿入位置にそれぞれ挿入することができるものとしたが、これ以外にも、静止原稿は全て同一の挿入位置されるようになっていてもよい。この場合は、挿入頁入力欄（Ｆ２、Ｆ３）は必要ない。
【００５８】
以上のようにして挿入位置と挿入原稿とが決定すると、表示部２１には図１０に示す読取待機画面Ｗ５が表示される。読取待機画面Ｗ５は、ユーザに原稿のセットとスタートキー２７の押下を促すための画面である。複合機１は、表示部２１に読取待機画面Ｗ５を表示した状態で、スタートキー２７が押下されるまで待機する。
【００５９】
読取開始指示を受け付けると、すなわちスタートキー２７が押下されると、ＣＰＵ７１は第１原稿検知部４０の検知結果を参照し、プラテンガラス３４上に原稿Ｍが載置されていれば、静止原稿であるこの原稿Ｍの読取を原稿読取装置３に実行させる（Ｓ１４でＹｅｓ→Ｓ１５でＹｅｓ→Ｓ１６）。１枚の静止原稿の読取が完了すると、ＣＰＵ７１はステップＳ１４の判断に戻る。プラテンガラス３４上から読み取り済みの原稿Ｍがユーザにより除かれ、新たな原稿Ｍが載置されると、ステップＳ１５の判断は“Ｙｅｓ”となり、原稿読取装置３は静止原稿を次々に読み取る（Ｓ１５でＹｅｓ→Ｓ１６）。
【００６０】
読み取るべき静止原稿の読取が全て完了すると、プラテンガラス３４上にはもはや新たな原稿Ｍは載置されない。そのため、プラテンガラス３４上には原稿Ｍは存在しなくなる（Ｓ１５でＮｏ）。すると、ＣＰＵ７１は、第２原稿検知部４７の検知結果を参照し、給紙トレイ４２上に原稿Ｍが存在しなくなるまで、原稿読取装置３に搬送原稿の読取を行わせる（Ｓ１７でＹｅｓ→Ｓ１８）。
【００６１】
給紙トレイ４２上の全ての原稿Ｍが読み取られると、給紙トレイ４２上にはもはや原稿Ｍは存在しなくなる。すると、ＣＰＵ７１は、原稿読取装置３による読取を終了させる（Ｓ１７でＮｏ→Ｓ１９）。つまり、ＣＰＵ７１は、入力受付部２２を介してユーザから読み取り終了の指示を受け付けなくても、読み取り動作を自動的に終了させることができる。言い換えると、連続自動モードによる原稿の読み取りは、静止原稿の最初の１枚から原稿搬送部４４による原稿搬送が完了するまでの一連の原稿の読み取りが１の読取ジョブとして処理され、ＣＰＵ７１は、１の読取ジョブの完了を、ユーザからの指示を受けることなく自動的に判断することができる。以上のようにして原稿から得られた一連の画像データは、ＲＡＭ７２内の画像蓄積領域７２ａに一旦蓄積される。
【００６２】
読み取り完了後、並べ替えを行うようにとの指示を上述のステップＳ１２でユーザから受けていなければ、ＣＰＵ７１は、各原稿の画像を、得られた順序のままで、印刷、送信、記憶のいずれかの処理に供する（Ｓ２０でＮｏ→Ｓ２２）。つまり、ＣＰＵ７１は、ＣＰＵ７１は、入力受付部２２を介してユーザから次処理開始の指示を受け付けなくても、画像形成部４、通信部５、記憶装置６等を制御して、次処理を自動的に開始させることができる。
【００６３】
一方、並べ替えを行うようにとの指示を上述のステップＳ１２でユーザから受けていれば、ＣＰＵ７１は、ステップＳ１３での受付内容に沿って、並べ替え処理を行う（Ｓ２０でＹｅｓ→Ｓ２１）。
【００６４】
並べ替えの具体例について、図１１〜図１３を参照して説明する。
【００６５】
図１１は原稿とその読取順序を、図１２は、図１１の原稿から得られ、並べ替え処理が行われていない画像データを、図１３は、同じく図１１の原稿から得られ、並べ替え処理が行われた画像データを、模式的に示す図面である。なお、図１１では、静止原稿にＭｓ、搬送原稿にＭｆの符号を付し、静止原稿Ｍｓに網掛けを付し、静止原稿Ｍｓ又は搬送原稿Ｍｆ中における各原稿の読み取られた順序（頁番号）を、各原稿の右下に数字で示す。また、図１２及び図１３では、各原稿から得られる画像に、画像データ中での頁番号（Ｐ．１〜Ｐ．６）を付すと共に、図１１の原稿との対応を明確にするよう、静止原稿Ｍｓから得られた画像には網掛けを付し、各画像の右下に対応する原稿の読取順序を数字で示す。
【００６６】
図１１に示すように、連続自動モードにより、３頁の静止原稿Ｍｓと、３頁の搬送原稿Ｍｆが読み取られたとする。原稿全体での読み取りの順序は、上述したように、静止原稿Ｍｓ、搬送原稿Ｍｆの順となる。そのため、並べ替えが行われなければ、ドキュメントボックス６１内に保存される１の画像ファイル中で、画像の順序は図１２に示す通りとなる。すなわち、画像データにおける第１頁（Ｐ．１）〜第３頁（Ｐ．３）は、それぞれ静止原稿Ｍｓの第１頁〜第３頁であり、画像データにおける第４頁（Ｐ．４）〜第６頁（Ｐ．６）は、それぞれ搬送原稿Ｍｆの第１頁〜第３頁の画像となる。
【００６７】
一方、図１３は、挿入頁指定画面Ｗ４において、図９に示すように、静止原稿Ｍｓの第１頁を搬送原稿Ｍｆの第１頁の前に、静止原稿Ｍｓの第２頁〜最後の頁（第３頁）を搬送原稿の第２頁の後に挿入するように、との入力を受け付けた場合の画像データを示す。図１３に示すように、画像データにおける第１頁（Ｐ．１）は静止原稿Ｍｓの第１頁、画像データにおける第２頁（Ｐ．２）〜第３頁（Ｐ．３）は搬送原稿Ｍｆの第１頁〜第２頁、画像データにおける第４頁（Ｐ．４）〜第５頁（Ｐ．５）は静止原稿Ｍｓの第２頁〜第３頁、画像データにおける第６頁（Ｐ．６）は搬送原稿Ｍｆの第３頁の画像となる。
【００６８】
具体的には、このような並べ替え処理は、各画像に対応する頁番号情報を、ＣＰＵ７１が書き換えることによって実現される。本実施形態では、頁番号デフォルトでは１の原稿読取作業における読取の順序とされる。
【００６９】
以上のように、必要に応じて並べ替え処理を行った後、自動的に、印刷、送信、記憶のいずれかの処理が開始されることは、既に述べた通りである（Ｓ２１→Ｓ２２→Ｓ６）。
【００７０】
読取が開始される前にユーザによりコピーキー２４ａが押下されていた場合は、１の読取作業により（すなわち１の読取ジョブにて）得られた一連の画像データは、ステップＳ６にて、１の印刷ジョブとして印刷処理される。
【００７１】
また、読取が開始される前にユーザにより送信キー２４ｂが押下されていた場合も、同様に、一連の画像の送信は１の送信ジョブとして処理される。通信部５は、ファクシミリ送信の場合は一連の画像を頁順に沿って順に送信し、ファイル転送及びメール送信の場合は一連の画像を１の画像ファイルとして送信する。
【００７２】
また、読取が開始される前にユーザにより送信キー２４ｃが押下されていた場合は、ドキュメントボックス６ａに、一連の画像が１の画像ファイルとして保存される。
【００７３】
（ii） 連続手動モード
連続手動モードによる画像処理について、以下に説明する。連続手動モードは、連続モードにより原稿の読取を行い、ユーザからの指示を受けることで、読取作業を完了するモードである。本モードによる画像処理のフローチャートを図１４に示す。
【００７４】
図１４に示すように、本モードでは、スタートキー２７が押下されると（Ｓ３０でＹｅｓ）、原稿読取装置３は、静止原稿又は搬送原稿のうち、セットされている方の読取を行う（Ｓ３１〜Ｓ３４）。そして、セットされていた原稿の読取が終わると、ＣＰＵ７１は表示部２１に、次処理実行受付画面Ｗ６を表示させる。
【００７５】
図１５には、読取実行前に送信キー２４ｂが押下されている場合の次処理受付画面Ｗ６を示す。このときの次処理受付画面Ｗ６には、次処理（この例では“送信”）の実行指示を受け付けるキーＫ６が表示される。次処理受付画面Ｗ６には、さらに原稿がある場合にはその原稿をセットするようにユーザに促すメッセージも表示される。次処理（図１５の例では“送信”）の実行指示を受けるまでは、複合機１は次の処理に移ることなく待機する。つまり、本モードでは、給紙トレイ４２上の原稿を全て読み取っても、次の作業を開始することはない。よって、給紙トレイ４２上の原稿を一旦全て読み取っても、プラテンガラス３４上又は給紙トレイ４２上にさらに原稿がセットされて、スタートキー２７が押下されれば、原稿読取装置３は原稿の読取を行う（Ｓ３５でＮｏ→Ｓ３０でＹｅｓ）。すなわち、キー６を介して受け付けられる次処理実行の指示は、読取作業終了の指示でもある。
【００７６】
ユーザからの指示を受けると、ＣＰＵ７１は読取作業を終了させて、印刷、送付、又は記憶といった次処理を各部に実行させる（Ｓ３５でＹｅｓ→Ｓ３６→Ｓ３７）。
【００７７】
（iii） 非連続モード
非連続モードは、搬送原稿又は静止原稿のいずれか一方のみを読み取るモードである。非連続モードでは、搬送原稿を読み取る場合は、給紙トレイ４２上の原稿が全て搬送されると読取作業は終了となる。静止原稿を読み取る場合は、プラテンガラス３４上の１の原稿を読み取っても、読取終了の指示を受けるまでは、送付等の処理は行われない。
【００７８】
〔Ｂ〕その他の実施形態
（B-1）画像処理装置
第１実施形態では、本発明の実施の一形態として複合機１を挙げたが、本発明はこれ以外にも、画像読取装置、複写機、画像読取機能を備える通信装置、及びファクシミリ装置等の画像処理装置として実施可能である。
【００７９】
（B-2）読取開始
第１実施形態では、スタートキー２７の押下等による読取開始の指示を受け付けることで、読取が開始されるものとしている。しかし、本発明はこれに限定されるものではなく、読取は他の要因により開始されてもよい。
【００８０】
例えば、複合機１は、第２ハウジング４１（原稿押さえ３２）の原稿読取装置３に対する開閉を検知可能な開閉検知部を備え、第２ハウジング４１が開閉されたことがこの開閉検知部により検知されたときに、「読取開始指示」が受け付けられたと、ＣＰＵ７１が判断するようになっていてもよい。また、例えば、連続自動モードにおけるステップＳ１２で“Ｎｏ”と判断されてから、又はステップＳ１３若しくはＳ１６の処理が完了してから、所定時間が経過すると、ユーザにより操作がされなくても、「読取開始指示」を受け付けたとＣＰＵ７１が判断するなど、時間の経過によってＣＰＵ７１が読取の開始を判断できるようになっていてもよい。
【００８１】
また、連続自動モードにおいて、並べ替えを行わないときは、ＣＰＵ７１は、全ての原稿の読み取りを待つことなく、得られた画像データから順次、印刷、送付、記憶といった次処理に移行させるようになっていてもよい。特に印刷処理については、得られた順に画像を印刷出力することで、印刷処理が完了するまでのユーザを待たせる時間が短く済む。印刷連続手動モード及び非連続モードにおいても、同様に、読取順に印刷出力されるようになっていてもよい。
【００８２】
（B-3）連続自動モード
図７等を参照して説明した連続自動モードは、連続読取作業を自動的に終了する処理の一例に過ぎない。すなわち、連続自動モードは、自動搬送されるべき原稿の搬送が完了すると、最後に搬送された原稿の読取をもって連続読取作業を終了させるものであればよく、含まれるステップ及び表示される画面等は、適宜変更可能である。
【００８３】
例えば、第１実施形態では、複数の静止原稿の画像を分けて、複数の挿入位置にそれぞれ挿入することができるものとしたが、これ以外にも、静止原稿は全て同一の挿入位置されるようになっていてもよい。この場合は、図９に示す挿入頁指定画面Ｗ４において、挿入位置入力欄Ｆ１があれば足り、挿入頁入力欄（Ｆ２、Ｆ３）は必要ない。よって、挿入頁指定画面Ｗ４に代えて、挿入位置指定画面Ｗ７を用いることができる。
【００８４】
また、上記第１実施形態では、連続自動モード、連続手動モード、非連続モードの３種のモードにより画像処理を実行可能な複合機１を挙げたが、本発明は、少なくとも連続自動モードを実行可能な画像処理装置として実施可能である。
【００８５】
（B-4）原稿読取部
第１実施形態の複合機１は、第１イメージセンサ３８ａにより、静止原稿及び搬送原稿の両方を読み取ることができるようになっている。但し、本発明はこれに限定されるものではなく、静止原稿を読み取るイメージセンサと、搬送原稿を読み取るイメージセンサとが、別々に複数設けられていてもよい。
【図面の簡単な説明】
【００８６】
【図１】複合機１のハードウェアの要部構成を示すブロック図である。
【図２】操作盤２の要部構成を示す平面図である。
【図３】原稿読取装置３の要部構成を示す正面図である。
【図４】画像処理の流れの概要を示すフローチャートである。
【図５】読取モードの選択画面Ｗ１を示す図面である。
【図６】判定モードの選択画面Ｗ２を示す図面である。
【図７】連続自動モードにおける処理の流れを示すフローチャートである。
【図８】並べ替え受付画面Ｗ３を示す図面図である。
【図９】挿入頁指定画面Ｗ４を示す図面である。
【図１０】読取待機画面Ｗ５を示す図面である。
【図１１】原稿とその読取順序を模式的に示す図面である。
【図１２】連続自動モードによって図１１に示す原稿から得られ、並べ替え処理が行われていない画像データを模式的に示す図面である。
【図１３】連続自動モードによって図１１に示す原稿から得られ、並べ替え処理が行われた画像データを模式的に示す図面である。
【図１４】連続手動モードにおける処理の流れを示すフローチャートである。
【図１５】次処理受付画面Ｗ６を示す図面である。
【図１６】挿入位置指定画面Ｗ７を示す図面である。
【符号の説明】
【００８７】
１      複合機（画像処理装置）
２１    表示部
２２    入力受付部
２３    タッチパネル
２４    機能選択キー
２４ａ  コピーキー
２４ｂ  送信キー
２４ｃ  ボックスキー
２５    テンキー
２６    リセットキー
２７    スタートキー
３      原稿読取装置
３１    本体部
３２    原稿押さえ
３８ａ  第１イメージセンサ（原稿読取部）
３８ｂ  第２イメージセンサ（原稿読取部）
４０    第１原稿検知部
４７    第２原稿検知部
４      画像形成部
５      通信部（送信部）
６      記憶装置
【図１】
2009111591.tif 000003
【図２】
2009111591.tif 000004
【図３】
2009111591.tif 000005
【図４】
2009111591.tif 000006
【図５】
2009111591.tif 000007
【図６】
2009111591.tif 000008
【図７】
2009111591.tif 000009
【図８】
2009111591.tif 000010
【図９】
2009111591.tif 000011
【図１０】
2009111591.tif 000012
【図１１】
2009111591.tif 000013
【図１２】
2009111591.tif 000014
【図１３】
2009111591.tif 000015
【図１４】
2009111591.tif 000016
【図１５】
2009111591.tif 000017
【図１６】
2009111591.tif 000018